(57)【要約】      （修正有）【課題】投げる、飛ばす、キャッチする、見る等、多くの人が楽しめ、室内、特に、壁や家具に軽く当てると反発して戻って来る、また、身体や顔に当たっても痛くない、安全性の高い飛翔体玩具を提供する。【解決手段】発泡スチロールからなる弾性のある円形状の環体で、内径と外径を同心円にした飛翔体玩具である。【選択図】図１
0003227333.tif 000002
【実用新案登録請求の範囲】
【請求項１】
発泡スチロールを円形状の環体にした飛翔体玩具。
【請求項２】
上記請求項１において発泡スチロールは弾性があり、割れにくい飛翔体玩具。
【請求項３】
上記請求項１及び上記請求項２において、内径と外径を同心円にすると滑らかに戻ってくる飛翔体玩具。
【考案の詳細な説明】
【技術分野】
【０００１】  本考案は、発射力によって飛ぶことが出来、そして、その後発射位置に戻ることができる、室内で楽しめる多機能飛翔体玩具に関する。具体的には、この考案は内径、外径を同心円にするとなめらかに戻ってくることができる飛翔体玩具に関するものである。
【背景技術】
【０００２】  従来の飛翔体玩具はフリスビー、ブーメラン、グランドゴルフなどが知られている。何れもビニール又はプラスチック製の軽い材質の成型体からなっており、２人以上で相対しながら飛翔体玩具を交互に投げ合って受け取り、さらに相手に投げてゲームする。【０００３】  特許文献１には、ビニール製の飛翔体玩具が記載されているが、この形状で作製したものを飛ばすと元に戻らず、また、何度も使用すると、割れやすかった。【０００４】  また、当該飛翔体玩具が戻ってきたとしても、安定して戻らず、身体や顔に当たり、安全性を確保することが難しかった。【０００５】  上記の課題を解決するために、特許文献２、特許文献３において、いくつかの飛翔体玩具で開発が近年行われている。しかしながら、これらの玩具は複雑であり、また、電力を要するため、多くの人たちが遊ぶことは難しい。【０００６】  そのため、より単純な構造で、電力も必要としない飛翔体玩具の開発が必要であった。
【先行技術文献】
【特許文献】
【０００７】
【特許文献１】特開２０１１−０８３５５７
【特許文献２】特開２００５−１５２０９０
【特許文献３】特表２０１１−５００１７６
【考案の概要】
【考案が解決しようとする課題】
【０００８】  本考案は、室内で飛翔体玩具を使用してゲームをしようとする場合、多くの人たちが身体や顔に当たることない飛翔体玩具であり、安全性の問題を解決することができる。
【課題を解決するための手段】
【０００９】  本考案者は、上記目的を達成するため鋭意検討した結果、飛翔体玩具の形状に注目し、さらに検討した結果、本考案に達したものである。すなわち、本考案の第１の構成は、発泡スチロールを円形状の環体で、内径と外径を同心円にすることによって滑らかに戻ってくる飛翔体玩具である。前記飛翔体玩具は発泡スチロール、紙、プラスチックなどあるが、弾性があり、割れにくい発泡スチロールであることが好ましい。前記発泡スチロールは、例えば、ポリ塩化ビニル（ＰＶＣ）、ポリプロピレン（ＰＰ）、ポリエチレンテレフタレート（ＰＥＴ）、ポリスチレン（ＰＳ）、耐衝撃性ポリスチレン（ＨＩＰＳ）などの合成樹脂フィルム、紙、発泡スチロールなどにより形成することができるが、特に、発泡スチロールが好ましい。【００１０】  本考案の第１の構成において、前記発泡スチロールを円形状の環体で、内径と外径の比が約２５／４０から約３０／４０の範囲内にあることが好ましい。本考案の構成を説明するために、図１に本飛翔体玩具の図面を示した。【００１１】  本考案の第２の構成は、前記発泡スチロールを円形状の環体で、内径と外径の厚さを一定もしくは異なることによって滑らかに戻ってくる飛翔体玩具である。【００１２】  本考案の第２の構成において、図２の構造であることが好ましい。また、本考案の構成において、前記発泡スチロールを円形状の環体の厚さが５０ｍｍまでの範囲内にあることが好ましい。【００１３】  本考案の第３の構成は、前記発泡スチロールを円形状の環体で、外径に前記環体と異なる密度の発泡スチロールをとりつけることによって前記飛翔体玩具が壊れにくい飛翔体玩具である。
【考案の効果】
【００１４】  本考案の第１の構成によれば、の発泡スチロールを円形状の環体であって、内径と外径を同心円、つまり、内径と外径の比が約２５／４０から約３０／４０にすることによって、滑らかに元に戻って来る飛翔体玩具を提供することができる。【００１５】  上記本考案の第１の構成の飛翔体玩具によれば、壁や家具に軽く当てると反発して戻って来ることができるので安全性のあるゲームをすることができる。さらに、上記本考案の第１の構成の飛翔体玩具によれば、身体や顔に当たっても痛くなく楽しく安全に遊ぶことが出来る。また、本考案の構成によれば、前方に回転をかけて放つと必ず戻ってくることが出来る。【００１６】  本考案の第２の構成によれば、前記発泡スチロールを円形状の環体で、内径と外径の厚さを一定もしくは異なることにより、滑らかに戻ってくる飛翔体玩具を得ることができる。【００１７】  また、上記本考案の第２の構成の飛翔体玩具によれば、前記発泡スチロールを円形状の環体の厚さが５０ｍｍまでの範囲内であることにより、滑らかに戻ってくることができる。【００１８】  本考案の第３の構成によれば、前記発泡スチロールを円形状の環体で、外径に前記環体と異なる密度の発泡スチロールをつけることにより、壊れにくい飛翔体玩具を得ることができる。
【図面の簡単な説明】
【００１９】
【図１】本考案の構成を示した飛翔体玩具の模式図である。
【図２】本考案の一例を示す端面図である。
【図３】本考案の構成を示した飛翔体の外側に異なる密度の発泡スチロールを取り付けた場合の模式図である。
【図４】本考案の一例を示す使用例である。
【考案を実施するための最良の形態】
【００２０】  図１は、本考案の一例を示す斜視図であり、本考案の好ましい実施形態である。本考案の飛翔体玩具は、半径ｒ０を内径、半径ｒ１を外径とした円形状の環体の飛翔体玩具である。本考案者は、非常に多くの実験を行い、内径ｒ０と外径ｒ１の比率が約２５／４０から約３０／４０の比率とすることで、本考案の飛翔体玩具が元の位置に戻るための十分な長い飛行時間を有することとなることを見出した。ここで、環体とは、円形状のリングのことである。また、下記の説明をするため、環体の内径を内側部、外径を外側部とする。【００２１】  本考案の飛翔体玩具は、内径と外径の比率が約２５／４０より小さくなる、また、約３０／４０より大きくなると、傾いて上がった方向に落下する。使用する際には飛翔体玩具の細径または太径部分を持って前方に回転をかけて放つことにより、元の投げた場所に戻って来る。【００２２】  本考案の飛翔体玩具は、軽くて弾性があり、割れにくい材料により形成される。例えば、ポリ塩化ビニル（ＰＶＣ）、ポリプロピレン（ＰＰ）、ポリエチレンテレフタレート（ＰＥＴ）、ポリスチレン（ＰＳ）、耐衝撃性ポリスチレン（ＨＩＰＳ）などの合成樹脂フィルム、紙、発泡スチロールなどにより形成することができるが、特に、発泡スチロールが好ましい。【００２３】  図２は本考案の端面図であり、本考案の好ましい実施形態である。本考案の飛翔体玩具の厚さは一定もしくは内側と外側が異なる円形状の環体の飛翔体玩具である。本考案者は、非常に多くの実験を行い、厚さは５０ｍｍまでの範囲であって、一定もしくは内側と外側が異なる厚さとすることで滑らかに戻ってくることを見出した。厚さを５０ｍｍより大きくなると、飛翔体玩具を飛ばすことができない。また、厚さを５０ｍｍの範囲内にすることにより、滑らかに戻ってくることができることがわかった。また、図２に示した本考案の飛翔体玩具の内側と外側が異なる厚さとすることにより滑らかに戻って来ることも見出した。Ｌの長さを１〜５０ｍｍ、ｔ２の厚さを１ｍｍ以上とすることにより滑らかに戻ってくることができる。【００２４】  図３は、本考案の一例を示す断面図である。前記発泡スチロールを円形状の環体で、外径に前記環体と異なる密度の発泡スチロールをつけることにより、壊れにくい飛翔体玩具を得ることができる。【００２５】  図４は、本考案の一例を示す使用例である。室内の壁に本考案の飛翔体玩具を当てて、ゲームを楽しむことが出来る。壁からの距離Ｌは遠すぎても近すぎてもいけないが、特に、約２ｍから約５ｍが好ましい。
【実施例】
【００２６】  以下、実施例により本考案を具体的に説明するが、これらの実施例は本考案の限定を意図するものではない。実施例中で用いる材料などの数値条件、処理法などは本考案の範囲内    に    お    け    る    好    適    例    に    す    ぎ    な    い    。【００２７】（内径と外径の比について）
本考案者は、内径と外径との関係について確認するため、以下の表１の飛翔体玩具を作製した。【００２８】
【表１】
0003227333.tif 000003
【００３１】［        参        考        製        造        例        １        ］
本考案の内径と外径の比率が１／２にして飛翔体玩具を製造した。材料は発泡スチロールを用い、厚みを７ｍｍ、内径２００ｍｍ、外径４００ｍｍとした。
【実施例１】
【００３２】    図４のように、壁から約２ｍ、約３ｍ、約４ｍ、約５ｍはなれた場所から本考案の飛翔体玩具を飛ばした。この玩具では元の位置に戻らず、傾いて上がり、落下した。表１には元に戻ってくる時間（約３ｍ）を示している。【００３３】［        参        考        製        造        例        ２        ］
本考案の内径と外径の比率が７／１０にして飛翔体玩具を製造した。材料は発泡スチロールを用い、厚みを７ｍｍ、内径２１０ｍｍ、外径３００ｍｍとした。
【実施例２】
【００３４】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表１には元に戻ってくる時間（約３ｍ）４秒であることを示している。【００３５】［        参        考        製        造        例        ３        ］
本考案の内径と外径の比率が１１／１５にして飛翔体玩具を製造した。材料は発泡スチロールを用い、厚みを７ｍｍ、内径２２０ｍｍ、外径３００ｍｍとした。
【実施例３】
【００３６】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表１には元に戻ってくる時間（約３ｍ）４秒であることを示している。【００３７】［        参        考        製        造        例        ４        ］
本考案の内径と外径の比率が３１／４２にして飛翔体玩具を製造した。材料は発泡スチロールを用い、厚みを７ｍｍ、内径３１０ｍｍ、外径４２０ｍｍとした。
【実施例４】
【００３８】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表１には元に戻ってくる時間（約３ｍ）６秒であることを示している。【００３９】［        参        考        製        造        例          ５        ］
本考案の内径と外径の比率が３０／５０にして飛翔体玩具を製造した。材料は発泡スチロールを用い、厚みを７ｍｍ、内径３００ｍｍ、外径５００ｍｍとした。
【実施例５】
【００４０】  図４のように、壁から約２ｍ、約３ｍ、約４ｍ、約５ｍはなれた場所から本考案の飛翔体玩具を飛ばした。この玩具では元の位置に戻らず、傾いて上がり、落下した。【００４１】［        参        考        製        造        例        ６        ］
本考案の内径と外径の比率が４０／５０にして飛翔体玩具を製造した。材料は発泡スチロールを用い、厚みを７ｍｍ、内径２００ｍｍ、外径２５０ｍｍとした。
【実施例６】
【００４２】  図４のように、壁から約２ｍ、約３ｍ、約４ｍ、約５ｍはなれた場所から本考案の飛翔体玩具を飛ばした。この玩具では元の位置に戻らず、傾いて上がり、落下した。【００４３】  以上の結果から、内径ｒ０と外径ｒ１の比率が約２５／４０から約３０／４０の比率とすることで、本考案の飛翔体玩具が元の位置に戻るための十分な長い飛行時間を有することができることがわかった。【００４４】（厚さについて）
本考案者は、以下の飛翔体玩具を作製した。
上記記載の内径と外径の比率により、内径と外径の比率を約２５／４０、約３０／４０、比率を固定し、厚さを５ｍｍ、１０ｍｍ、５０ｍｍ、６０ｍｍとして、厚さによる性能を確認した。【００４５】
【表２】
0003227333.tif 000004
【００４６】（内径と外径の比率約２５／４０、厚さ５ｍｍ）
［        参        考        製        造        例        ７        ］
本考案の内径と外径の比率が約２５／４０にして飛翔体玩具を製造した。材料は発泡スチロールを用い、厚みを５ｍｍ、内径２５０ｍｍ、外径４００ｍｍとした。
【実施例７】
【００４７】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表２には元に戻ってくる時間（約３ｍ）４秒であることを示している。【００４８】（内径と外径の比率約２５／４０、厚さ１０ｍｍ）
［        参        考        製        造        例        ８        ］
本考案の内径と外径の比率が約２５／４０にして飛翔体玩具を製造した。材料は発泡スチロールを用い、厚みを１０ｍｍ、内径２５０ｍｍ、外径４００ｍｍとした。
【実施例８】
【００４９】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表２には元に戻ってくる時間（約３ｍ）４秒であることを示している。【００５０】（内径と外径の比率約２５／４０、厚さ５０ｍｍ）
［        参        考        製        造        例        ９        ］
本考案の内径と外径の比率が約２５／４０にして飛翔体玩具を製造した。材料は発泡スチロールを用い、厚みを５０ｍｍ、内径２５０ｍｍ、外径４００ｍｍとした。
【実施例９】
【００５１】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表２には元に戻ってくる時間（約３ｍ）７秒であることを示している。【００５４】
【表３】
0003227333.tif 000005
【００５５】（内径と外径の比率約３０／４０、厚さ５ｍｍ）
［      参      考      製      造      例      １      １      ］
本考案の内径と外径の比率が約３０／４０にして飛翔体玩具を製造した。材料は発泡スチロールを用い、厚みを５ｍｍ、内径３００ｍｍ、外径４００ｍｍとした。
【実施例１１】
【００５６】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表３には元に戻ってくる時間（約３ｍ）６秒であることを示している。【００５７】（内径と外径の比率約３０／４０、厚さ１０ｍｍ）
［      参      考      製      造      例      １        ２      ］
本考案の内径と外径の比率が約３０／４０にして飛翔体玩具を製造した。材料は発泡スチロールを用い、厚みを１０ｍｍ、内径３００ｍｍ、外径４００ｍｍとした。
【実施例１２】
【００５８】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表３には元に戻ってくる時間（約３ｍ）６秒であることを示している。【００５９】（内径と外径の比率約３０／４０、厚さ５０ｍｍ）
［      参      考      製      造      例      １      ３      ］
本考案の内径と外径の比率が約３０／４０にして飛翔体玩具を製造した。材料は発泡スチロールを用い、厚みを５０ｍｍ、内径３００ｍｍ、外径４００ｍｍとした。
【実施例１３】
【００６０】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表３には元に戻ってくる時間（約３ｍ）８秒であることを示している。【００６３】  以上の結果から、厚さを５０ｍｍの範囲内にすることにより、本考案の飛翔体玩具が元の位置に戻るための十分な長い飛行時間を有することができることがわかった。【００６４】  さらに、本考案者は、形状について検討を行い、本考案の飛翔体玩具の内側と外側の厚さを変えることで、厚さを一定にした場合より本考案の飛翔体玩具が元の位置に戻る飛行時間が短くなることがわかった。【００６５】  段落００６４の検討を行うため、内径と外径の比を約３０／４０、厚さｔを１０ｍｍ、ｔ１を１〜５ｍｍ、ｔ２を０ｍｍ以上、ｔ３を１〜５ｍｍとして以下の飛翔体玩具を作製した。以下の飛翔体玩具のｔ１とｔ３は２ｍｍで作製しているが、１ｍｍ、３〜５ｍｍでも同様の結果が得られた。【００６６】
【表４】
0003227333.tif 000006
【００６７】［      参      考      製      造      例      １      ５      ］
本考案の内径と外径の比率が約３０／４０にして飛翔体玩具を製造した。材料は発泡スチロールを用い、距離Ｌ１を１ｍｍ、内径３００ｍｍ、外径４００ｍｍとした。
【実施例１５】
【００６８】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表４には元に戻ってくる時間（約３ｍ）５秒であることを示している。【００６９】［      参      考      製      造      例      １      ６      ］
本考案の内径と外径の比率が約３０／４０にして飛翔体玩具を製造した。材料は発泡スチロールを用い、距離Ｌ１を１０ｍｍ、内径３００ｍｍ、外径４００ｍｍとした。
【実施例１６】
【００７０】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表４には元に戻ってくる時間（約３ｍ）５秒であることを示している。【００７１】［      参      考      製      造      例      １      ７      ］
本考案の内径と外径の比率が約３０／４０にして飛翔体玩具を製造した。材料は発泡スチロールを用い、距離Ｌ１を２０ｍｍ、内径３００ｍｍ、外径４００ｍｍとした。
【実施例１７】
【００７２】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表４には元に戻ってくる時間（約３ｍ）７秒であることを示している。【００７３】［      参      考      製      造      例      １      ８      ］
本考案の内径と外径の比率が約３０／４０にして飛翔体玩具を製造した。材料は発泡スチロールを用い、厚みを３０ｍｍ、内径３００ｍｍ、外径４００ｍｍとした。
【実施例１８】
【００７４】  図４のように、壁から約２ｍ、約３ｍ、約４ｍ、約５ｍはなれた場所から本考案の飛翔体玩具を飛ばした。この玩具では元の位置に戻らず、傾いて上がり、落下した。【００７５】  次に、内径と外径の比を約３０／４０、厚さｔを２０ｍｍ、ｔ１を１〜１０ｍｍ、ｔ２を０ｍｍ以上、ｔ３を１〜１０ｍｍとして以下の飛翔体玩具を作製した。以下の飛翔体玩具のｔ１とｔ３は４ｍｍで作製しているが、１〜３ｍｍ、５〜１０ｍｍでも同様の結果が得られた。【００７６】
【表５】
0003227333.tif 000007
【００７７】［      参      考      製      造      例      １      ９      ］
本考案の内径と外径の比率が約３０／４０にして飛翔体玩具を製造した。材料は発泡スチロールを用い、距離Ｌ１を１ｍｍ、内径３００ｍｍ、外径４００ｍｍとした。
【実施例１９】
【００７８】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表５には元に戻ってくる時間（約３ｍ）６秒であることを示している。【００７９】［      参      考      製      造      例      ２      ０      ］
本考案の内径と外径の比率が約３０／４０にして飛翔体玩具を製造した。材料は発泡スチロールを用い、距離Ｌ１を１０ｍｍ、内径３００ｍｍ、外径４００ｍｍとした。
【実施例２０】
【００８０】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表５には元に戻ってくる時間（約３ｍ）６秒であることを示している。【００８１】［      参      考      製      造      例      ２      １      ］
本考案の内径と外径の比率が約３０／４０にして飛翔体玩具を製造した。材料は発泡スチロールを用い、距離Ｌ１を２０ｍｍ、内径３００ｍｍ、外径４００ｍｍとした。
【実施例２１】
【００８２】  図４のように、壁から約２ｍ、約３ｍ、約４ｍ、約５ｍはなれた場所から本考案の飛翔体玩具を飛ばした。この玩具は元の位置に戻り、うまく受け取ることが出来た。表５には元に戻ってくる時間（約３ｍ）８秒であることを示している。【００８３】［      参      考      製      造      例      ２      ２      ］
本考案の内径と外径の比率が約３０／４０にして飛翔体玩具を製造した。材料は発泡スチロールを用い、距離Ｌ１を３０ｍｍ、内径３００ｍｍ、外径４００ｍｍとした。
【実施例２２】
【００８４】  図４のように、壁から約２ｍ、約３ｍ、約４ｍ、約５ｍはなれた場所から本考案の飛翔体玩具を飛ばした。この玩具では元の位置に戻らず、傾いて上がり、落下した。【００８５】  以上の結果から、外側と内側で異なる厚さにすることにより、厚さを一定にした場合より本考案の飛翔体玩具が元の位置に戻る飛行時間が短くなることがわかった。【００８６】（耐久性について）
本考案者は耐久性について検討するために、本考案の内径と外径の比率が約３０／４０にして飛翔体玩具（内径３００ｍｍ、外径４００ｍｍ、厚さ１０ｍｍ）を製造した。材料は発泡スチロールを用いた。外側に密度の違う発泡スチロールをつけた場合とつけていない場合（図３）で、２００回投げた耐久性を確認した。外側の発泡スチロールは環体の発泡スチロールとは違う密度のもので、Ｌ２の長さが１〜１０ｍｍで検討した。表６は３ｍｍで作製した飛翔体玩具である。図４のように、本考案の飛翔体玩具の投げる位置を壁から２〜５ｍで確認を行った。【００８７】
【表６】
0003227333.tif 000008
【００８８】  外側に密度の異なる発泡スチロールを取り付けていない場合では、外側に多少の破損が見られた。外側に発泡スチロールを取り付けることにより効果が現れることがわかった。
【産業上の利用可能性】
【００８９】  本考案にかかる飛翔体玩具は、身体や顔に当たっても痛くなく、楽しく安全に遊ぶことの出来る効果を有するので、多くの人が参加できるゲームに用いることができるものであるから、飛翔体玩具とその製造の分野において、種々の産業上の利用性を有するものである。【００９０】  本考案の特定の実施形態について説明を行ったが、この技術分野における当業者は本明細書において記述された上記の実施形態を容易に修正することができることは明らかである。したがって、本考案は、この明細書で示された特定の実施形態に限定されること無く、他のいかなる修正、変更、実施の形態への利用に適用されるものであり、それゆえに、他の全ての修正、変更、実施形態は、本考案の精神および範囲内に入るものとみなされるべきである。
【符号の説明】
【００９１】  ｒ０  飛翔体玩具の外径
ｒ１  飛翔体玩具の内径
ｔ  飛翔体玩具の厚さ
ｔ１、ｔ２、ｔ３  飛翔体玩具の厚さ（内側）
Ｌ  飛翔体玩具を飛ばす位置から壁までの距離
Ｌ１  飛翔体玩具環体の内側の平面長さ
Ｌ２  飛翔体玩具環体の外側の平面長さ
【図１】
0003227333.tif 000009
【図２】
0003227333.tif 000010
【図３】
0003227333.tif 000011
【図４】
0003227333.tif 000012
【手続補正書】
【提出日】令和2年4月16日(2020.4.16)
【手続補正１】
【補正対象書類名】実用新案登録請求の範囲
【補正対象項目名】全文
【補正方法】変更
【補正の内容】
【実用新案登録請求の範囲】
【請求項１】
難燃性の発泡スチロールを円形状の環体にした飛翔体玩具。
【請求項２】
上記請求項１において、難燃性の発泡スチロールは弾性があり、割れにくい飛翔体玩具。
【請求項３】
上記請求項１および上記請求項２のいずれか１項に記載された飛翔体玩具において、内径と外径を同心円にした飛翔体玩具。